(57)【要約】【課題】本発明は、カード部材の接触部に弾接する端子部材、及びカード検出スイッチに導通するスイッチ端子をハウジング外部に引き出すことなく、プリント基板と接触させて電気的に導通させることが可能なカード用コネクタ装置を提供すること。【解決手段】本発明のカード用コネクタ装置のカード装着部である第２カード装着部７には、装着されたカード部材である第２カード１３の接触部１３ｃが弾接可能な複数の端子部材８を配設し、この端子部材８は、底壁７ａを貫通形成した第１開口部７ｄ内に配設され、プリント基板（図示せず）には、端子部材である第２端子部材８が弾接可能な固定端子部（図示せず）を形成し、第２カード１３を第２カード装着部７に装着すると、第２端子部材８は、第２カード１３の接触部１３ｃに弾接すると共にプリント基板の固定端子部に弾接して、第２カード１３内部のＩＣに書き込み、あるいは読み出しができるようになっている。【選択図】　　　　図２
2004031279.tif 000002
【特許請求の範囲】
【請求項１】
一方の面に複数の接触部を形成したカード部材を装着可能なカード装着部を形成したハウジングと、前記ハウジングに並設され前記カード装着部に装着した前記カード部材の前記接触部に弾接可能な複数の端子部材とを備え、前記端子部材は、前記ハウジングの底壁を貫通形成した第１開口部内に配設され、前記ハウジングを実装可能なプリント基板には、前記端子部材が弾接可能な固定端子部を形成し、
前記カード部材を前記カード装着部に装着すると、前記端子部材は、前記カード部材の前記接触部に弾接すると共に前記プリント基板の前記固定端子部に弾接するようにしたことを特徴とするカード用コネクタ装置。
【請求項２】
前記端子部材は、前記底壁に埋設した基部と、この基部から一方側に延長形成されて前記第１開口部内に片持ち梁状に露出する腕部とを有し、この腕部には、前記カード部材の前記接触部に弾接可能なカード接点部と前記プリント基板の前記固定端子部に弾接可能な可動接点部とを形成したことを特徴とする請求項１記載のカード用コネクタ装置。
【請求項３】
前記腕部は、前記カード部材を前記カード装着部に挿入するときの挿入方向と平行方向に形成したことを特徴とする請求項１、または２記載のカード用コネクタ装置。
【請求項４】
前記端子部材は、前記腕部の先端部を二股状に切り裂いて前記カード接点部と前記可動接点部とを互いに離れる方向に湾曲形成したことを特徴とする請求項２、または３記載のカード用コネクタ装置。
【請求項５】
前記カード装着部に前記カード部材を未装着のときは、前記端子部材の前記可動接点部が前記プリント基板の前記固定端子部から離間していることを特徴とする請求項２乃至４のいずれかに記載のカード用コネクタ装置。
【請求項６】
一方の面に複数の接触部を形成したカード部材を装着可能なカード装着部を形成したハウジングを備え、前記カード装着部と前記ハウジングを実装可能なプリント基板とには、前記カード装着部に装着された前記カード部材を検出可能なカード検出スイッチを形成し、
このカード検出スイッチは、前記ハウジングの底壁を貫通形成した第２開口部内に配設したスイッチ端子と、このスイッチ端子が弾接可能な前記プリント基板に形成した固定接点部とからなり、
前記カード部材を前記カード装着部に装着すると、前記スイッチ端子は、前記カード部材によって押圧されると共に前記プリント基板の前記固定接点部に対して弾接可能としたことを特徴とするカード用コネクタ装置。
【請求項７】
前記スイッチ端子は、前記底壁に埋設した基部と、この基部から一方側に延長形成されて前記第２開口部内に片持ち梁状に露出する一対の腕部とを有し、前記プリント基板は、前記前記固定接点部を互いに絶縁させて一対形成し、前記腕部のそれぞれには、前記カード部材の前記一方の面に弾接可能なカード弾接部と、前記プリント基板の前記固定接点部に弾接可能な可動接点部とを形成したことを特徴とする請求項６記載のカード用コネクタ装置。
【請求項８】
前記腕部は、前記カード部材を前記カード装着部に挿入するときの挿入方向と平行方向に配設したことを特徴とする請求項６、または７記載のカード用コネクタ装置。
【請求項９】
前記スイッチ端子は、前記腕部の先端部を二股状に切り裂いて前記カード弾接部と前記可動接点部とを互いに離れる方向に湾曲形成したことを特徴とする請求項７、または８記載のカード用コネクタ装置。
【請求項１０】
前記カード装着部に前記カード部材を未装着のときは、前記スイッチ端子の前記可動接点部が前記プリント基板の前記固定接点部から離間していることを特徴とする請求項７乃至９のいずれかに記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリースティック等に書き込み、または読み出し可能なカード用コネクタ装置に関する。
【０００２】
【従来の技術】
パーソナルコンピュータ（以後ＰＣと称する）等の情報機器の増設記録装置として、内部にＩＣ（集積回路）を埋設したＩＣカードに、種々の情報の書き込み、あるいは読み出しを行うためにカード用コネクタ装置が一般的に用いられている。　このような従来のカード用コネクタ装置に用いられているＩＣカードは、内部のＩＣに接続された接触部を前端部側に露出形成した種類、あるいは接触部を一方の面に前後２列に整列させて露出形成した種類がある。
【０００３】
そして、一方の面に接触部を前後２列に整列させて露出形成した種類のＩＣカードを使う場合は、前後２列のぞれの接触部に接触させるための複数の端子部材をカード用コネクタ装置のハウジング側に配設していた。
そして、ハウジングに配設した複数の端子部材は、一方側にＩＣカード側の接触部に接触させるための接点部を形成し、他端部側に形成した端子部がハウジングの外部に引き出されて、情報機器側のプリント基板にリフロー半田等で取り付けていた。
また、従来のカード用コネクタ装置は、ハウジング内部のカード装着部に挿入されて装着されたＩＣカードを検出するための検出スイッチが配設されており、この検出スイッチに接続されたスイッチ端子もハウジング外部に引き出されて、情報機器側のプリント基板にリフロー半田等で取り付けていた。
このような従来のカード用コネクタ装置は、ハウジングの外部に引き出された端子部材の端子部、及び検出スイッチのスイッチ端子を情報機器側のプリント基板にリフロー半田等で１回の半田付け工程で取り付けていたので作業性が良かった。
【０００４】
【発明が解決しようとする課題】
しかし、上述したような従来のカード用コネクタ装置は、多くの端子部材、及びスイッチ端子等を情報機器側のプリント基板にリフロー半田等で実装するときの高温で、ハウジングが変形したりして、端子がプリント基板から浮いて半田付け不良が発生するおそれがあった。
特に近年では、融点が従来の半田より高い、鉛フリー半田の使用率が高くなり、リフロー半田時の加熱温度が２７０℃程度に設定されることがあり、更に過酷な条件になっている。
また、多くの端子部材の端子部、及びスイッチ端子が、ハウジング外部に引き出されていたので、情報機器側のプリント基板の面積が大きくなり、従来のカード用コネクタ装置を用いた情報機器が大型になる問題があった。
本発明は前述したような問題点に鑑みてなされたもので、カード部材の接触部に弾接する端子部材、及びカード検出スイッチに導通するスイッチ端子をハウジング外部に引き出すことなく、プリント基板と接触させて電気的に導通させることが可能なカード用コネクタ装置を提供することを目的とする。
【０００５】
【課題を解決するための手段】
上記課題を解決するための第１の解決手段として本発明のカード用コネクタ装置は、一方の面に複数の接触部を形成したカード部材を装着可能なカード装着部を形成したハウジングと、前記ハウジングに並設され前記カード装着部に装着した前記カード部材の前記接触部に弾接可能な複数の端子部材とを備え、前記端子部材は、前記ハウジングの底壁を貫通形成した第１開口部内に配設され、前記ハウジングを実装可能なプリント基板には、前記端子部材が弾接可能な固定端子部を形成し、前記カード部材を前記カード装着部に装着すると、前記端子部材は、前記カード部材の前記接触部に弾接すると共に前記プリント基板の前記固定端子部に弾接するようにしたことを特徴とする。
【０００６】
また、上記課題を解決するための第２の解決手段として、前記端子部材は、前記底壁に埋設した基部と、この基部から一方側に延長形成されて前記第１開口部内に片持ち梁状に露出する腕部とを有し、この腕部には、前記カード部材の前記接触部に弾接可能なカード接点部と前記プリント基板の前記固定端子部に弾接可能な可動接点部とを形成したことを特徴とする。
【０００７】
また、上記課題を解決するための第３の解決手段として、前記腕部は、前記カード部材を前記カード装着部に挿入するときの挿入方向と平行方向に形成したことを特徴とする。
【０００８】
また、上記課題を解決するための第４の解決手段として、前記端子部材は、前記腕部の先端部を二股状に切り裂いて前記カード接点部と前記可動接点部とを互いに離れる方向に湾曲形成したことを特徴とする。
【０００９】
また、上記課題を解決するための第５の解決手段として、前記カード装着部に前記カード部材を未装着のときは、前記端子部材の前記可動接点部が前記プリント基板の前記固定端子部から離間していることを特徴とする。
【００１０】
また、上記課題を解決するための第６の解決手段として、一方の面に複数の接触部を形成したカード部材を装着可能なカード装着部を形成したハウジングを備え、前記カード装着部と前記ハウジングを実装可能なプリント基板とには、前記カード装着部に装着された前記カード部材を検出可能なカード検出スイッチを形成し、このカード検出スイッチは、前記ハウジングの底壁を貫通形成した第２開口部内に配設したスイッチ端子と、このスイッチ端子が弾接可能な前記プリント基板に形成した固定接点部とからなり、
前記カード部材を前記カード装着部に装着すると、前記スイッチ端子は、前記カード部材によって押圧されると共に前記プリント基板の前記固定接点部に対して弾接可能としたことを特徴とする。
【００１１】
また、上記課題を解決するための第７の解決手段として、前記スイッチ端子は、前記底壁に埋設した基部と、この基部から一方側に延長形成されて前記第２開口部内に片持ち梁状に露出する一対の腕部とを有し、前記プリント基板は、前記前記固定接点部を互いに絶縁させて一対形成し、前記腕部のそれぞれには、前記カード部材の前記一方の面に弾接可能なカード弾接部と、前記プリント基板の前記固定接点部に弾接可能な可動接点部とを形成したことを特徴とする。
【００１２】
また、上記課題を解決するための第８の解決手段として、前記腕部は、前記カード部材を前記カード装着部に挿入するときの挿入方向と平行方向に配設したことを特徴とする請求項６、または７記載のカード用コネクタ装置。
【００１３】
また、上記課題を解決するための第９の解決手段として、前記スイッチ端子は、前記腕部の先端部を二股状に切り裂いて前記カード弾接部と前記可動接点部とを互いに離れる方向に湾曲形成したことを特徴とする。
【００１４】
また、上記課題を解決するための第１０の解決手段として、前記カード装着部に前記カード部材を未装着のときは、前記スイッチ端子の前記可動接点部が前記プリント基板の前記固定接点部から離間していることを特徴とする。
【００１５】
【発明の実施の形態】
以下、本発明の実施の形態のカード用コネクタ装置を図１〜図１３に基づいて説明する。図１は本発明のカード用コネクタ装置の斜視図であり、図２は図１からカバーを取り外した状態の斜視図であり、図３は図１の概略正面図であり、図４は図１の要部断面図であり、図５は本発明に係わる第１カードの平面図と正面図であり、図６は本発明に係わるカード部材である第２カードの平面図と正面図であり、図７は本発明に係わる端子部材である第２端子部材の斜視図であり、図８は図７の上面図、正面図、側面図であり、図９は本発明に係わるスイッチ端子の斜視図であり、図１０は図９の上面図、正面図、側面図であり、図１１は本発明に係わる第２端子部材のその他の実施の形態を示す上面図と正面図であり、図１２は図４の部分拡大図であり、図１３は図１２にカード部材を挿入したときの端子部材の動作を説明する図である。
【００１６】
まず、本発明の１実施の形態のカード用コネクタ装置１は、図２に示すように、樹脂材料等の絶縁材で形成された外形が略矩形状のハウジング２が配設されている。このハウジング２は、内部が上部と下部の２段に別れており、上部側に後述する表面積の大きい第１カード１２を挿入して装着可能な第１カード装着部３が形成され、この第１カード装着部３の下部側に後述する面積の小さい第２カード１３を装着可能な後述する第２カード装着部７が形成されて上下２段になっている。
【００１７】
前記ハウジング２は、図２に示すように、後方側に形成した後端壁２ａと、この後端壁２ａと直交する方向に形成した互いに対向する左側壁２ｂと右側壁２ｃとに囲まれ部分に第１カード装着部３が形成されている。
この第１カード装着部３は、ハウジング２の表面側を所定量凹ませて形成されて前方側が開放されており、この前方側の開放部分から後述する第１カード１２が挿入されて装着可能になっている。
【００１８】
また、第１カード装着部３は、平坦状の底面３ａが形成され、この底面３ａの前方側で右側壁２ｃ近傍の底面３ａからは、板状のガイド壁２ｄが、左右の側壁２ｂ、２ｃと同じ高さで突出形成されて、第１カード装着部３に挿入される第１カード１２を案内するためのガイドとなっている。
また、後端壁２ａには、複数の第１端子部材４の一部が埋設形成され、この第１端子部材４の一端部側が、第１カード装着部３の内方に向けて片持ち梁状に延出形成されている。そして、片持ち梁状の先端部が上方側に湾曲形成されて接点部４ａが形成されている。
この接点部４ａは、先端部が底面３ａに当接しており、湾曲形成された接点部４ａに上方から押圧荷重が加わると、接点部４ａが弾性変形可能となっている。
また、第１端子部材４は、他端部側が後端壁２ａから外方に突出されて、情報機器側のプリント基板（図示せず）にリフロー半田等で実装するための端子部４ｂが形成されている。
【００１９】
また、右側壁２ｃ寄りの底面３ａ上には、第１カード装着部３に挿入される後述する第１カード１２と共に後端部壁２ａ方向にスライド移動可能なスライド部材５と、このスライド部材５を手前側の前端部側に弾性付勢可能なコイルバネ６が配設されている。
また、第１カード装着部３の下部には、底面３ａの一部を凹ませて、平坦状の底壁７ａを有する第２カード装着部７が形成されている。この第２カード装着部７は、第１カード装着部３と同様に前方側が開放されて、この開放部分から後述する第２カード１３を挿入して装着可能になっている。
【００２０】
また、第２カード装着部７の最奥端には、後述する第２カード１３の前端部１３ａが当接可能な奥縁部７ｂが形成され、この奥縁部７ｂは、第１端子部材４の接触部４ａが位置する部分より若干前方側に形成されている。即ち、第２カード装着部７の奥行き寸法は、第１カード装着部３より浅くなっている。
また、第２カード装着部７の幅寸法は、第１カード装着部３の幅寸法より小さく形成されている。そして、第２カード装着部７は、図３に示すように、第１カード装着部３の左側壁であるハウジング２の左側壁２ｂ側に偏って形成されている。
【００２１】
また、第２カード装着部７の左右には、挿入される後述の第２カード１３を装着位置に案内するための一対のガイド部７ｃ、７ｃが、略Ｕ字状に形成されている。
前記一対のガイド部７ｃ、７ｃは、上下２段に形成された第１、第２カード装着部３、７の境界となっている。
また、第２カード装着部７の前端部側には、底壁７ａを貫通する第１開口部７ｄが手前側と奥側の前後２列に、後述する第２カード１３の接触部１３ｃの数に対応して、例えば６個形成されている。
また、第２カード装着部７の奥側の底壁７ａを貫通する第２開口部７ｅが奥縁部７ｂに接して、１個形成されている。
【００２２】
そして、第１開口部７ｄ内には、本発明に係わる端子部材である第２端子部材８が配設されている。この第２端子部材８は、弾性を有する金属板からなり、図７、８に示すように、一端部側に形成した十字状の基部８ａと、この基部８ａから一方側に延長形成された腕部８ｂとからなっている。
そして、第２端子部材８は、腕部８ｂの先端部を二股状に切り裂いてカード接点部８ｃと可動接点部８ｄとを互いに離れる方向に湾曲形成している。
【００２３】
このような本発明に係わる端子部材である第２端子部材８は、図４の部分拡大図である図１２に示すように、基部８ａが底壁７ａに埋設され、腕部８ｂが後述するカード部材である第２カード１３を第２カード装着部７に挿入する時の挿入方向と平行方向に配設されている。
このような腕部８ｂは、第１開口部７ｄ内に片持ち梁状に露出しており、第１開口部内に位置する腕部８ｂは上方に傾斜して、カード接点部８ｃが第１開口部７ｄから上方に飛び出し、可動接点部８ｄが第１開口部７ｄ内に位置して第１開口部７ｄ内に沈んだ状態になっている。
そして、第２端子部材８は、カード接点部８ｃを下方に押圧すると、腕部８ｂが下方に弾性変形して、第１開口部７ｄから可動接点部８ｄが下方に出っ張るようになっている。
【００２４】
また、第２開口部７ｅ内には、弾性を有する金属板からなるスイッチ端子９が配設されている。このスイッチ端子９は、図９、１０に示すように、底壁７ａに埋設する基部９ａと、この基部９ａから一方側に平行に延長形成されて一対の腕部９ｂ、９ｂとからなっている。
また、スイッチ端子９は、それぞれ腕部９ｂの先端部を二股状に切り裂いてカード弾接部９ｃと可動接点部９ｄとを互いに離れる方向に湾曲形成している。
【００２５】
このようなスイッチ端子９は、図２に示すように、基部９ａを底壁７ａに埋設し、一対の腕部９ｂ、９ｂが後述するカード部材である第２カード１３を第２カード装着部７に挿入する時の挿入方向と平行方向に配設されている。
また、一対の腕部９ｂ、９ｂは、図示を省略するが、第２開口部７ｅ内に露出して片持ち梁状になっており、腕部９ｂの先端部側のカード弾接部９ｃが第２開口部７ｅから上方に飛び出し、可動接点部９ｄが第２開口部７ｅ内に位置して第２開口部７ｅ内に沈んだ状態になっている。
そして、スイッチ端子９は、それぞれのカード弾接部９ｃを下方に押圧すると、腕部９ｂが下方に弾性変形し、それぞれの可動接点部９ｄが第２開口部７ｅから下方に出っ張るようになっている。
【００２６】
また、ハウジング２は、図３に示すように、第２カード装着部７を第１カード装着部３に対して左方向に偏らせて形成しているので、第２カード装着部７の右側が空きスペース２ｅとなっている。この空きスペース２ｅには、裏面側から上方の底面３ａ側に所定量凹ませて凹部（図示せず）が形成している。
また、第１カード装着部３の上方には、金属板からなるカバー１０が配設されて、第１カード装着部３の上方が覆われている。このカバー１０は、図１に示すように、２個の矩形状の開口部１０ａ、１０ａと、第１カード装着部３に装着した第１カード１２の上面に当接可能な舌片部１０ｂ、１０ｃとが形成されている。
このようなカバー１０は、図１に示すように、左右側端部を下方側に折り曲げて折り曲げ部１０ｄを形成し、この折り曲げ部１０ｄがハウジング２の左右の側壁２ｂ、２ｃにスナップ係合させて取り付けられている。
【００２７】
また、ハウジング２は、図３、４に示すように、裏面側から下方に向けて突出する位置決め突起１１が形成されている。この位置決め突起１１は、本発明のカード用コネクタ装置１を情報機器側のプリント基板（図示せず）に実装するときの位置決め用となっている。
また、第１カード装着部３には、内部にＩＣ（集積回路）を埋設して、記録媒体として一般的に使用されている公知の、表面積の大きな第１カード部材１２が装着可能になっている。
【００２８】
前記第１カード部材１２は、図５に示すように、前端部１２ａ寄りの一方の面である下面側に、内部のＩＣ（図示せず）に導通する複数の接触部１２ｂが露出して１列に整列形成されている。
また、前端部１２ａの一方のコーナ部１２ｃが面取り状に斜めにカットされて形成されており、前端部１２ａが非対称形状となっている。
そのために、第１カード１２を第１カード装着部３に挿入して装着すると、面取り状のコーナ部１２ｃが、スライド部材５の傾斜面５ａに当接するようになっているので、第１カード装着部３に装着する第１カード１２の逆挿入を防止するようになっている。
【００２９】
また、第２カード装着部７には、第１カード１２より表面積の小さい第２カード１３が装着可能になっており、この第２カード１３は、図６に示すように、前端部１３ａの一方のコーナ部１３ｂが面取り状に斜めにカットされて、前端部１３ａ側が非対称形状になっており、第１カード１２と同じように、逆挿入を防止するようになっている。
また、第２カード１３の一方の面である図示上面には、内部のＩＣ（図示せず）に導通する複数の接触部１３ｃが露出して２列に整列形成されている。
このような第１、第２カード１２、１３は、第１、第２カード装着部３、７に装着することにより、内部のＩＣに情報の書き込み、あるいは読み出しが行えるようになっている。
【００３０】
前述したような構成の本発明のカード用コネクタ装置１は、ＰＣ等の情報機器側のプリント基板（図示せず）に、位置決め突起１１が位置合わせされて、複数の第１端子部材４の端子部４ｂがリフロー半田等により実装されて取り付けられている。
また、プリント基板には、第２端子部材８の可動接点部８ｄが当接して導通可能な固定端子部（図示せず）が、複数の可動接点部８ｄと対向する位置に、それぞれ可動接点部の数に対応して形成されている。
また、プリント基板には、カード検出スイッチを構成するスイッチ端子９の一対の可動接点部９ｄと対向する位置に、可動接点部９ｄが弾接可能な一対の固定接点部（図示せず）が形成されている。
【００３１】
このような本発明のカード用コネクタ装置１の第２カード装着部７に、本発明に係わるカード部材である第２カード１３を挿入して装着したときの、第２端子部材８及びスイッチ端子９の動作を説明する。
まず、第２カード装着部７に第２カード１３を挿入すると、第２カード１３の一方の面が第２端子部材８のカード接点部８ｃを下方に押し下げて腕部８ｄが下方に弾性変形する。
【００３２】
更に第２カード１３を挿入すると、第２カード１３の一方の面が、スイッチ端子９の一対のカード弾接部９ｃを下方に押し下げて、一対の腕部９ｂ、９ｂが弾性変形する。
このことにより、それぞれの可動接点部９ｄがプリント基板側の一対の固定接点部（図示せず）に弾接して導通して、カード検出スイッチのスイッチ回路が切り換わり、第２カード装着部７に第２カード１３が挿入されたことを検出する。
また、図１３に示すように、第２カード１３の複数の接触部１３ｃが、第２端子部材８のカード接点部８ｃに弾接して導通することにより、第２カード１３内部のＩＣが情報機器側の制御部（図示せず）に接続されて、第２カード１３内部のＩＣに書き込み、読み出しができるようになる。
これと同時に、第２カード１３は、挿入時の慣性力で奥まで確実に挿入されて、前端部１３ａが奥縁部７ｂに当接して装着が完了する。
【００３３】
前述したように、本発明のカード用コネクタ装置１は、第２カード１３を第２カード装着部７に挿入して装着する動作で、第２端子部材８及びスイッチ端子９を、プリント基板に弾接させて導通することができるので、第２端子部材８及びスイッチ端子９に接続してハウジング２の外部に引き出しする端子が不要となり、ハウジング２の外部に引き出しされる端子の数を少なく、あるいはなくすることができる。
そのために、本発明のカード用コネクタ装置１を、プリント基板にリフロー半田等で実装するときの高温でハウジング２に反り等が発生したとしても、端子とプリント基板との半田付け不良をなくすることができる。
【００３４】
また、本発明のカード用コネクタ装置１は、第２カード装着部７に第２カード１３を未装着の時は、第２端子部材８の可動接点部８ｄ、及びスイッチ端子９の可動接点部９ｄが、それぞれプリント基板の固定端子及び固定接点から離間している。
そのために、カード用コネクタ装置１をプリント基板にリフロー半田等で実装するときにプリント基板が高温になったとしても、第２端子部材８及びスイッチ端子９からのハウジング２への熱伝導を小さくすることができ、半田付け時のハウジング２の反りを小さくすることができる。
【００３５】
また、本発明の実施の形態では、端子部材である第２端子部材８の先端側を二股状に切り裂いてカード接点部８ｃと可動接点部８ｄとを形成したもので説明したが、図１１に示すような変形例として、第２端子部材１８は、基部１８ａと、この基部１８ａから一方側に延びる腕部１８ｂとからなり、この腕部１８ｂを略Ｚ字状に折り曲げて、カード接点部１８ｃと可動接点部１８ｄとを形成したものでも良い。
即ち、カード部材である第２カード１３を第２カード装着部７に装着すると、端子部材である第２端子部材８は、第２カード１３の接触部１３ｃに弾接すると共に、プリント基板の固定端子部に弾接するようにしたものであれば良い。
【００３６】
また、スイッチ端子９も、図示は省略するが、図１１に示すような変形例の第２端子部材１８と同じように、腕部を略Ｚ字状に折り曲げて、カード弾接部と可動接点部とを形成したものでも良い。
また本発明の実施の形態では、大きさの異なる２種類の第１、第２カード１２、１３を１つのハウジング２に装着可能なもので説明したが、第１カード１２、または第２カード１３を、それぞれ個別に装着するようにしたものに適用したものでも良い。
また本発明の実施の形態では、第１端子部材４の端子部４ｂをハウジング２の外部に引き出したもので説明したが、図示は省略するが、第１端子部材を第２端子部材８と同じような形状にすることにより、端子部４ｂをなくすることができる。このようにすることにより、半田付け部分をなくしてリフロー半田等の半田付け作業をなくすることも可能である。
【００３７】
【発明の効果】
以上説明したように、本発明のカード用コネクタ装置は、カード部材をカード装着部に装着すると、カード部材の接触部が弾接して端子部材が弾性変形することにより、端子部材がプリント基板の固定端子部に弾接するようにしたので、従来のような端子部材に接続されてハウジング外部に引き出される端子をなくすることができる。そのために、全体形状を小型にできると共に、端子部材とプリント基板との半田付け作業をなくすることができる。
【００３８】
また、端子部材の腕部には、カード部材の接触部に弾接可能なカード接点部とプリント基板の固定端子部に弾接可能な可動接点部とを形成したので、端子部材とプリント基板との半田付け作業をなくすることができると共に、端子部材とプリント基板側の固定端子部とを確実に接触させて導通させることができる。
そのために、高性能のカード用コネクタ装置を提供できる。
【００３９】
また、腕部は、カード部材をカード装着部に挿入するときの挿入方向と平行方向に形成したので、カード部材をカード装着部に挿入時に、腕部を確実に上下方向に弾性変形させることができ、腕部先端に形成した可動接点部をプリント基板に確実に接触させることができる。
【００４０】
また、端子部材は、前記腕部の先端部を二股状に切り裂いて前記カード接点部と前記可動接点部とを互いに離れる方向に湾曲形成したので、カード装着部に挿入するカード部材で端子部材を弾性変形させて、可動接点部を確実にプリント基板に弾接させることができ、信頼性の高い接触構造を備えたカード用コネクタ装置を提供できる。
【００４１】
また、カード装着部にカード部材を未装着のときは、端子部材の可動接点部がプリント基板の固定端子部から離間しているので、リフロー半田等で実装するときにプリント基板が高温になっても、この高温が端子部材を介してハウジングに伝達されないので、ハウジングが高温で反るような変形を防止できる。
【００４２】
また、カード部材をカード装着部に装着すると、カード部材の一方の面がスイッチ端子を押圧してプリント基板の固定接点部に弾接することにより、カード装着部にカード部材が装着されたことを検出するようにしたので、特別な検出スイッチがなくとも、装着されたカード部材を確実に検出することができる低コスト高品質のカード用コネクタを提供できる。
【００４３】
また、スイッチ端子の一対の腕部には、カード部材の一方の面に弾接可能なカード弾接部と、プリント基板の固定接点部に弾接可能な可動接点部とをそれぞれ形成したので、カード装着部に挿入したカード部材の一方の面にカード弾接部が弾接することにより、可動接点部をプリント基板の固定接点部に確実に弾接させてスイッチ回路を切り換えることができる。このことにより、挿入されたカード部材を確実に検出できる。
また、従来のような検出スイッチに接続してハウジング外部に引き出される端子をなくすることができ、全体形状を小型にできると共に、端子のプリント基板への半田付け作業をなくすることができる。
【００４４】
また、一対の腕部は、カード部材をカード装着部に挿入するときの挿入方向と平行方向に配設したので、カード部材をカード装着部に挿入時に、腕部を確実に上下方向に弾性変形させることができ、腕部先端に形成した可動接点部をプリント基板に確実に接触させることにより、装着されたカード部材を確実に検出することができる。
【００４５】
また、スイッチ端子は、腕部の先端部を二股状に切り裂いてカード弾接部と可動接点部とを互いに離れる方向に湾曲形成したので、カード装着部に挿入するカード部材でスイッチ端子を弾性変形させて、先端部の可動接点部を確実にプリント基板に弾接させることができ、信頼性の高いカード検出を行うことができる。
【００４６】
また、カード装着部にカード部材を未装着のときは、スイッチ端子の可動接点部がプリント基板の固定接点部から離間しているので、リフロー半田等で実装するときにプリント基板が高温になっても、この高温がスイッチ端子を介してハウジング側に伝達されないので、ハウジングが高温で反るような変形を防止できる。
【図面の簡単な説明】
【図１】本発明のカード用コネクタ装置の斜視図である。
【図２】図１からカバーを取り外した状態の斜視図である。
【図３】図１の概略正面図である。
【図４】図１の要部断面図である。
【図５】本発明に係わる第１カードの平面図と正面である。
【図６】本発明に係わるカード部材である第２カードの平面図と正面図である。
【図７】本発明に係わる端子部材である第２端子部材の斜視図である。
【図８】図７の上面図、正面図、側面図である。
【図９】本発明に係わるスイッチ端子の斜視図である。
【図１０】図９の上面図、正面図、側面図である。
【図１１】本発明に係わる第２端子部材のその他の実施の形態を示す上面図と正面図である。
【図１２】図４の部分拡大図である。
【図１３】図１２にカード部材を挿入したときの端子部材の動作を説明する図である。
【符号の説明】
１　本発明のカード用コネクタ装置
２　ハウジング
２ａ　後端壁
２ｂ　左側壁
２ｃ　右側壁
３　第１カード装着部
３ａ　第１底面
４　第１端子部材
４ａ　接触部
４ｂ　端子部
５　スライド部材
６　コイルバネ
７　第２カード装着部
７ａ　第２底面
７ｂ　奥縁部
７ｃ　コーナ部
７ｄ　ガイド部
８　第２端子部材
８ａ　基部
８ｂ　腕部
８ｃ　カード接点部
８ｄ　可動接点部
９　スイッチ端子
９ａ　基部
９ｂ　腕部
９ｃ　カード弾接部
９ｄ　可動接点部
１０　カバー
１１　位置決め突起
１２　第１カード
１３　第２カード
【図１】
2004031279.tif 000003
【図２】
2004031279.tif 000004
【図３】
2004031279.tif 000005
【図４】
2004031279.tif 000006
【図５】
2004031279.tif 000007
【図６】
2004031279.tif 000008
【図７】
2004031279.tif 000009
【図８】
2004031279.tif 000010
【図９】
2004031279.tif 000011
【図１０】
2004031279.tif 000012
【図１１】
2004031279.tif 000013
【図１２】
2004031279.tif 000014
【図１３】
2004031279.tif 000015